(57)【要約】【課題】  原動プーリが正逆２方向に回転されても常にベルトの弛み側にテンションを付与して従動プーリに動力を伝達すること、及び、原動プーリから従動プーリへの動力伝達を遮断することを、一つの操作機構で行なえるベルト伝動装置の提供【解決手段】  本発明に係るベルト伝動装置１は、原動プーリ２と従動プーリ３の間に巻き掛けたベルト４の一方側及び他方側に、それぞれ張力を付与するテンション付与機構５、６を備えており、各テンション付与機構５、６がベルト４に張力を付与する動作をばね１７、１８を介して同時に操作する操作機構７とを備えている。【選択図】  図１
2005127356.tif 000002
【特許請求の範囲】
【請求項１】
正逆両方向に回転可能な原動プーリと、前記原動プーリから離れた位置に配設された従動プーリと、前記原動プーリと従動プーリに巻き掛けたベルトと、前記原動プーリと従動プーリの間に巻き掛けたベルトの一方側及び他方側に配設した、それぞれ張力を付与するテンション付与機構と、前記ベルトの一方側及び他方側に配設したテンション付与機構がベルトに張力を付与する動作を、ばねを介して同時に操作する操作機構とを備えたベルト伝動装置。
【請求項２】
前記テンション付与機構が、前記原動プーリと従動プーリの間に巻き掛けたベルトの一方側及び他方側にそれぞれ配設されたテンションアイドラと、前記テンションアイドラが取り付けられ、かつ前記テンションアイドラをベルトに当接又は離反させるように揺動自在に取り付けたアームとを備え、
かつ、前記操作機構が、前記ベルトの一方側及び他方側に配設したテンション付与機構のテンションアイドラがそれぞれベルトに当接するように、各テンション付与機構のアームをそれぞればねを介して同時に操作することを特徴とする請求項１に記載のベルト伝動装置。
【発明の詳細な説明】
【技術分野】
【０００１】
本発明はベルト伝動装置及びそのクラッチに関するものである。
【背景技術】
【０００２】
図３に従来のベルト伝動装置の概略構成を示す。図３中において、５１は原動プーリである。また、５２は従動プーリで、原動プーリ５１から離れた位置に配設されている。両プーリ５１、５２間には、ベルト５３を巻き掛けており、当該ベルト５３を介して原動プーリ５１の動力が従動プーリ５２に伝達される。
【０００３】
また、上記ベルト伝動装置には、ベルト５３が弛みなく張られるようにテンション付与機構が設けられるのが一般的である。ここで、図３に示すテンション付与機構５５は、ベルト５３の弛み側部分にテンションを付与するもので、支軸５７を介して揺動可能に設けたアーム５６と、このアーム５６に回転支持したテンションアイドラ５８と、アーム５６を付勢してテンションアイドラ５８をベルト５３の弛み側部分に押圧するばね５９で構成されている。かかる構成により、ベルト５３は、所定のテンションが掛けられた状態で原動プーリ５１の回転に合わせて従動し、ベルト５３と各プーリ５１、５２間に作用する摩擦力により、原動プーリ５１から従動プーリ５２に円滑に動力伝達を行なう。
【０００４】
なお、テンション付与機構として、ばね５９を用いずにアーム５６を適宜な位置に固定してテンションアイドラ５８でベルト５３の弛み側部分を押圧するものも知られている。また、両プーリ５１、５２の間隔を調整することによりベルト５３に所定のテンションを掛けるテンション付与機構もある。
【特許文献１】特開平６−９４０９１
【発明の開示】
【発明が解決しようとする課題】
【０００５】
ところで、上記したベルト伝動装置において、原動プーリ５１を正逆２方向に回転させて動力伝達を行なう場合には、ベルト５３の弛み側も変わる。例えば、図３において、原動プーリ５１を矢印方向とは反対の時計回り方向に回転させると、ベルト５３の両プーリ５１、５２間の上側部分が弛み側となる。かかる場合には、テンション付与機構５５が役に立たないばかりか、ベルト５３の張り側に更にテンションを掛けることになりベルト５３の回行に支障を来たすことになる。
【０００６】
そこで、例えば、図４、図５に示すように、両プーリ５１、５２間においてベルト５３の両側に、それぞれベルトにテンションを付与するテンション付与機構５５ａ、５５ｂを用意し、この２つのテンション付与機構５５ａ、５５ｂを操作して、原動プーリ５１の回転方向変更に合わせて常にベルト５３の弛み側にテンションを掛けることが考えられる。しかし、これでは各々のテンション付与機構５５ａ、５５ｂに専用の操作機構（操作レバーやソレノイド）を設けて、各々操作しなければならず、構成及び操作が複雑化・大型化してしまうことになる。
【０００７】
なお、両プーリ５１、５２間の間隔を調整してテンション付与を行なうテンション付与機構では、かかる問題は生じないが、テンションを調整するのに手間が掛かるとともに装置も大掛かりとなりやすい。
【０００８】
また、特許文献１には、ベルトの両プーリ間の一方側及び他方側のアイドラプーリ間に、所定の初期張力をもって張設したばね部材を配設し、両アイドラプーリでベルトの両側を挟んだベルト伝動装置が開示さているが、このベルト伝動装置は、原動プーリが正逆２方向に回転されても常にベルトの弛み側にテンションを付与して従動プーリに動力を伝達するが、原動プーリから従動プーリへの動力伝達を遮断することはできない。
【０００９】
本発明は、上記事情に鑑み、原動プーリが正逆２方向に回転されても常にベルトの弛み側にテンションを付与して従動プーリに動力を伝達すること、及び、原動プーリから従動プーリへの動力伝達を遮断することを、一つの操作機構で行なえるベルト伝動装置を提供することを目的としている。
【課題を解決するための手段】
【００１０】
本発明に係るベルト伝動装置は、正逆両方向に回転可能な原動プーリと、原動プーリから離れた位置に配設された従動プーリと、原動プーリと従動プーリに巻き掛けたベルトと、原動プーリと従動プーリの間に巻き掛けたベルトの一方側及び他方側に配設した、それぞれ張力を付与するテンション付与機構と、ベルトの一方側及び他方側に配設したテンション付与機構がベルトに張力を付与する動作を、ばねを介して同時に操作する操作機構とを備えている。
【００１１】
このベルト伝動装置は、操作機構がベルトの一方側及び他方側に配設したテンション付与機構がベルトに張力を付与する動作を、ばねを介して同時に操作するようになっているので、原動プーリの回転方向に応じて、常にベルトの緩み側にあるテンション付与機構がベルトの緩み側に張力を付与するので、従動プーリが原動プーリの正逆両方向に常に従動する。また、操作機構により、ばねに作用する力を緩めると、テンション付与機構がベルトの緩み側に張力を付与するように動作しなくなるので、原動プーリから従動プーリへの動力伝達が遮断される。すなわち、本発明のベルト伝動装置によれば、従動プーリが原動プーリの正逆両方向に常に従動する状態と、原動プーリから従動プーリへの動力伝達が遮断された状態を一つの操作機構で切り替えることができる。
【００１２】
この場合、テンション付与機構は、原動プーリと従動プーリの間に巻き掛けたベルトの一方側及び他方側にそれぞれ配設されたテンションアイドラと、テンションアイドラが取り付けられ、かつテンションアイドラをベルトに当接又は離反させるように揺動自在に取り付けたアームとを備えた構成とし、かつ、操作機構を、ベルトの一方側及び他方側に配設したテンション付与機構のテンションアイドラがそれぞれベルトに当接するように、各テンション付与機構のアームを、それぞればねを介して同時に操作する構成にするとよい。このベルト伝動装置は、操作機構により両方のテンションアイドラをベルトに当接させると、原動プーリの回転方向に応じて、常にベルトの緩み側にあるテンションアイドラがベルトの緩み側に張力を付与するので、従動プーリが原動プーリの正逆両方向に常に従動するようになり、また、ばねに作用する力を緩め、テンションアームを揺動自在な状態にすると、ベルトの緩み側に動力伝達に十分な張力が付与されなくなるので、原動プーリから従動プーリへの動力伝達が遮断される。
【発明の効果】
【００１３】
このベルト伝動装置によれば、一つの操作機構を操作するだけで、従動プーリを原動プーリの正逆両方向に常に従動させる状態と、原動プーリから従動プーリへの動力伝達を遮断する状態を切り替えることができ、構成及び操作が簡単である。また操作機構（操作レバーやソレノイド）が一つでいいので、装置の小型化を図ることができる。
【発明を実施するための最良の形態】
【００１４】
以下、本発明の実施形態を図面に基づいて説明する。なお、同一の作用を奏する部材又は部位には同一の符号を付して説明する。
【００１５】
本発明の一実施形態に係るベルト伝動装置１は、図１に示すように、原動プーリ２と、従動プーリ３と、原動プーリ２と従動プーリ３に巻き掛けたベルト４と、原動プーリ２と従動プーリ３の間に巻き掛けたベルト４の一方側及び他方側に、それぞれ張力を付与するテンション付与機構５、６と、テンション付与機構５、６がベルト４に張力を付与する動作を操作する操作機構７とを備えている。
【００１６】
原動プーリ２は、図示されない動力（モータやエンジン）の駆動軸から動力を受け、正逆両方に回転するようになっている。この実施形態では、従動プーリ３は原動プーリ２から離れた位置において、原動プーリ２の回転軸１１と従動プーリ３の回転軸１２が平行になるように配設している。また、ベルト４は原動プーリ２と従動プーリ３にオープンベルト方式で巻き掛けている。
【００１７】
テンション付与機構５、６は、一端にテンションアイドラ１３、１４を回転自在に取り付けたアーム１５、１６で構成されており、操作機構７はテンション付与機構５、６のアーム１５、１６に取り付けるばね１７、１８と、ばね１７、１８を介してアーム１５、１６を操作する操作ワイヤ１９、２０と、操作レバー（図示省略）で構成されている。
【００１８】
一端にテンションアイドラ１３、１４を回転自在に取り付けたアーム１５、１６は、原動プーリ２と従動プーリ３の間に巻き掛けたベルト４の一方側に張力を付与するもの１５と、他方側に張力を付与するもの１６がある。
【００１９】
それぞれアーム１５、１６は、一端に取り付けたテンションアイドラ１３、１４を、原動プーリ２と従動プーリ３の間に巻き掛けたベルト４の一方側及び他方側に配設しており、中間部に揺動軸２１、２２を設けてテンションアイドラ１３、１４がベルト４に当接又は離反するように揺動自在に取り付けている。アーム１５、１６の他端には、ばね１７、１８が取り付けてある。ばね１７、１８は、コイルばねで、一端をアーム１５、１６の他端に取り付け、他端に操作ワイヤ１９、２０を結合している。２つのアーム１５、１６の操作ワイヤ１９、２０は、それぞれ一つの操作レバー（図示省略）に連結されており、一つの操作レバーで、２つのアーム１５、１６の操作ワイヤ１９、２０を同時に操作できるようになっている。
【００２０】
操作レバーで操作ワイヤ１９、２０を引っ張ると、ばね１７、１８が引っ張られ、テンション付与機構５、６は、アーム１５、１６が揺動し、ベルト４の一方側及び他方側において、それぞれテンションアイドラ１３、１４がベルト４を押し込むように作用する。
【００２１】
図１に示すように、原動プーリ２が、左方向（反時計回り）に回転している場合は、ベルト４の図中上側４ａが緩み側になり、下側４ｂが張り側になる。このとき操作レバーで操作ワイヤ１９、２０を引っ張ると、上側の緩み側４ａでは、上側のテンションアイドラ１３がベルト４を下向きに押し込み、ベルト４に張力を与える。これにより、原動プーリ２からベルト４を介して従動プーリ３に動力が伝達される。また、張り側４ｂでは、ベルト４が原動プーリ２に引っ張られて真っ直ぐに張るので、ベルト４の緩み側４ａのようにテンションアイドラ１４によってベルト４が大きく押し込まれることはない。このため、アーム１６の揺動は小さいが、アーム１６と操作ワイヤ２０の間にばね１８を取り付けているので、操作ワイヤ２０が緩むことはない。
【００２２】
また、図２に示すように、原動プーリ２が、右方向（時計回り）に回転している場合は、ベルト４の図中上側４ａが張り側になり、下側４ｂが緩み側になる。この場合も同様に、下側の緩み側４ｂでは、下側のテンションアイドラ１４がベルト４を上向きに押し込みベルト４に張力を与える。これにより、原動プーリ２からベルト４を介して従動プーリ３に動力が伝達される。また、張り側４ａでは、ベルト４が原動プーリ２に引っ張られて真っ直ぐに張るので、ベルト４の緩み側のようにテンションアイドラ１３によってベルト４が大きく押し込まれることはない。従って、この場合もアーム１５の揺動は小さいが、アーム１５と操作ワイヤ１９の間にばね１７を取り付けているので、操作ワイヤ１９が緩むことはない。
【００２３】
このように、このベルト伝動装置１によれば、原動プーリ２が何れの方向に回転している場合でも、操作ワイヤ１９、２０が緩むことがなく、一つの操作レバーでテンション付与機構５、６を操作することができる。
【００２４】
また、このベルト伝動装置１は、操作レバーを操作して、操作ワイヤ１９、２０を緩め、ばね１７、１８に作用している力を緩めると、アーム１５、１６がそれぞれ揺動自在な状態になり、テンションアイドラ１３、１４がベルト４を押し込む作用をやめる。テンションアイドラ１３、１４がベルト４を押し込む作用をやめると、ベルト４の緩み側に張力が付与されないので、原動プーリ２から従動プーリ３への動力伝達が遮断される。
【００２５】
従って、このベルト伝動装置１によれば、一つの操作レバーで、正逆両方向の動力伝達と、動力伝達の遮断（ニュートラル状態）を操作することができる。
【００２６】
以上、本発明の一実施形態に係るベルト伝動装置を説明したが、本発明に係るベルト伝動装置は、上記した実施の形態に限定されるものではなく、本発明の要旨を逸脱しない範囲内において種々変更を加え得ることは勿論である。
【００２７】
例えば、プーリの配置や、ベルトの巻き掛け方法、アームの形状や配置などは、上記の実施形態に限定されない。また、テンション付与機構はテンションアイドラを介して、ベルトに張力を付与しているが、これに限定されず、ベルトに張力を付与するものであればよい。また、操作機構は、ベルトの一方側及び他方側に配設したテンション付与機構がベルトに張力を付与する動作を、ばねを介して同時に操作するものであればよく、上記の実施形態に限定されない。例えば、操作レバーに代えて、ソレノイドなどの電気的な操作ができるものにしてもよい。
【図面の簡単な説明】
【００２８】
【図１】本発明の一実施形態に係るベルト伝動装置の原動プーリが左方向に刊行物移転している場合の概略図。
【図２】本発明の一実施形態に係るベルト伝動装置の原動プーリが右方向に刊行物移転している場合の概略図。
【図３】従来のベルト伝動装置を示す概略図。
【図４】従来のベルト伝動装置を示す概略図。
【図５】従来のベルト伝動装置を示す概略図。
【符号の説明】
【００２９】
１  ベルト伝動装置
２  原動プーリ
３  従動プーリ
４  ベルト
５、６  テンション付与機構
７  操作機構
１３、１４  テンションアイドラ
１５、１６  アーム
１７、１８  ばね
１９、２０  操作ワイヤ
【図１】
2005127356.tif 000003
【図２】
2005127356.tif 000004
【図３】
2005127356.tif 000005
【図４】
2005127356.tif 000006
【図５】
2005127356.tif 000007